(57)【特許請求の範囲】
【請求項１】
温水器に発生する膨張水を排水する排水口に接続された連結管と、前記連結管から押し出された前記膨張水を受ける逃し口と、前記逃し口からの排水を受けるホッパー部と、前記ホッパー部からの排水を排水管に接続する排水接続部と、前記ホッパー部への害虫の侵入を防止する防虫網とを備えた貯湯式温水器用排水ホッパーにおいて、
前記ホッパー部には、前記逃し口とほぼ同じ高さまで延びた円筒状の仕切り板が設けられると共に、この仕切り板の一部に開口部としてスリットが設けられており、しかも、前記スリットの外側にはこのスリットと対向するように壁が設けられている
ことを特徴とする貯湯式温水器用排水ホッパー。
【請求項２】
前記仕切り板を、前記防虫網と一体に形成したことを特徴とする請求項１に記載の貯湯式温水器用排水ホッパー。
【請求項３】
前記仕切り板を、透明な材料で形成したことを特徴とする請求項１若しくは請求項２に記載の貯湯式温水器用排水ホッパー。
【請求項４】
前記ホッパー部に、前記仕切り板の取付位置を規制する位置決めを設けたことを特徴とする請求項１ないし請求項３に記載の貯湯式温水器用排水ホッパー。
【請求項５】
前記仕切り板を、前記ホッパー部と一体に形成したことを特徴とする請求項１に記載の貯湯式温水器用排水ホッパー。
【請求項６】
前記防虫網に、前記逃し口からの滴下水を拡散させるための凸部を設けたことを特徴とする請求項１に記載の貯湯式温水器用排水ホッパー。
【発明の詳細な説明】
【０００１】
【発明の属する技術分野】
本発明は、洗面所などに設置される温水器からの膨張水を、洗面器の本排水管へ流すための貯湯式温水器用排水ホッパーに関するものである。
【０００２】
【従来の技術】
従来のこの種の貯湯式温水器用排水ホッパーは、図８に示すように接続されて、貯湯式温水器１の沸き上げ時に発生する膨張水を、洗面器０の本排水管７へ流すように構成されている。
【０００３】
図８において、２は貯湯式温水器１から発生する膨張水を排水する排水口、３は排水口２から排水を導く連結管、４は連結管３からの排水を排水する逃し口、５は逃し口４から出る排水を受けるホッパー部、６はホッパー部５にたまった水を本排水管７に接続するための排水継手、８は本排水管７からホッパーへの逆流を防止する逆止弁、１４はホッパー部５内に置かれている防虫網である。
【０００４】
貯湯式温水器１は、沸し上げを行う際に内部の圧力上昇により発生する膨張水を排水口２へ排水する構造となっており、排水口２に接続された連結管３を介して逃し口４へと膨張水が押し出される。逃し口４から出てくる膨張水は自然落下によりホッパー部５へ排水される。ホッパー部５はトラップ構造になっており、封水水位以上になると排水継手６を介して本排水管７へ排水される。逆止弁８は、本排水管７が詰まった場合に汚水がホッパー部５へ逆流しないように逆流を防止するために設置されている。逃し口４とホッパー部５の間には、水道法により逆流を防止するための吐水口空間が必要であり、その空間距離は一般的に逃し口４の口径の２倍程度以上で設定されている。また、ホッパー部５は開放されているため、害虫等が侵入してホッパー部５内が閉塞しないように、防虫網１４が設けられている。防虫網１４は、図９に示すように有底円筒形状をしており、底部は網状になっている。
【０００５】
【発明が解決しようとする課題】
しかしながら、上記のような排水ホッパーでは、万一排水ホッパーが傾いて設置された時や、逃し口４から出てくる膨張水の勢いが強い時に、膨張水がホッパー部５内に入らずに床にこぼれたり、飛散した水により床を汚してしまうことがあった。また、ホッパー部５に入らないことを防止するためにホッパー部５を大きくすると、設置スペースが大きくなったり、製造コストが高くなるなどの問題があった。また、逃し口４からの滴下水が防虫網１４の網の目を通過してホッパー部５のトラップ部内の滞留水に着水する際に発生する着水音が、使用者に不快感を与えてしまうという問題もあった。
【０００６】
本発明は、上記課題を解決するためになされたもので、本発明の目的は、万一排水ホッパーが傾いて設置された時や、逃し口から出てくる膨張水の勢いが強い時にも、膨張水が床にこぼれることがなく、また、ホッパー内の滴下水の着水音を低減できる貯湯式温水器用排水ホッパーを提供することにある。
【０００７】
【課題を解決するための手段およびその作用・効果】
上記目的を達成するために請求項１は、温水器に発生する膨張水を排水する排水口に接続された連結管と、前記連結管から押し出された前記膨張水を受ける逃し口と、前記逃し口からの排水を受けるホッパー部と、前記ホッパー部からの排水を排水管に接続する排水接続部と、前記ホッパー部への害虫の侵入を防止する防虫網とを備えた貯湯式温水器用排水ホッパーにおいて、前記ホッパー部には、前記逃し口とほぼ同じ高さまで延びた円筒状の仕切り板が設けられると共に、この仕切り板の一部に開口部としてスリットが設けられており、しかも、前記スリットの外側にはスリットと対向するように壁が設けられることとした。
【０００８】
上記発明によれば、万一ホッパー部が傾いて設置されても、膨張水は円筒状の仕切り板内に排水されてホッパー内へ導かれるので、床への被水はなくなる。また、逃し口から勢いよく膨張水が出たとしても円筒状の仕切り板内で飛散することになるため、飛散した水により床を汚してしまうことはない。また、仕切り板をホッパー部に設置するので、ホッパー部を大きくする必要がなく、設置スペースが大きくならない。
【０００９】
請求項２では、請求項１に記載の貯湯式温水器用排水ホッパーにおいて、前記仕切り板を、前記防虫網と一体に形成した。よって、部品点数が増えることがなく、また、取り付けも簡易である。
【００１０】
請求項３では、請求項１若しくは請求項２に記載の貯湯式温水器用排水ホッパーにおいて、前記仕切り板を、透明な材料で形成した。よって、内部の排水状態を視認できるので、定期的な動作確認や万一の故障時の排水状態の確認が可能になり、診断が容易である。
【００１１】
請求項４では、請求項１ないし請求項３に記載の貯湯式温水器用排水ホッパーにおいて、前記ホッパー部に、前記仕切り板の取付位置を規制する位置決めを設けた。仕切り板の取り付け状態によっては、水が開口部から外部に飛び散る可能性があるが、開口部がホッパーの壁のある方向に向くように位置決めで規制してやれば、水は壁を伝ってホッパー内に落ちるため、床への飛散を防止できる。
【００１２】
請求項５では、請求項１に記載の貯湯式温水器用排水ホッパーにおいて、前記仕切り板を、前記ホッパー部と一体に形成した。よって、部品点数が増えることがなく、組み立ても容易である。
【００１３】
請求項６では、請求項１に記載の貯湯式温水器用排水ホッパーにおいて、前記防虫網に、前記逃し口からの滴下水を拡散させるための凸部を設けた。よって、逃し口からの滴下水は、防虫網の凸部に当たって拡散した後にホッパー部のトラップ部内の滞留水に着水するので、着水音が低減され、使用者に不快感を与えない。
【００１４】
【発明の実施の形態】
以下、本発明の実施の形態を、図面により詳細に説明する。
【００１５】
図１は、本発明の一実施例を示す貯湯式温水器用排水ホッパーの模式的接続図であり、貯湯式温水器用排水ホッパーは、貯湯式温水器１の沸き上げ時に発生する膨張水を、洗面器０の本排水管７へ流すように構成されている。
【００１６】
図１において、２は貯湯式温水器１から発生する膨張水を排水する排水口、３は排水口２から排水を導く連結管、４は連結管３からの排水を排水する逃し口、５は逃し口４から出る排水を受けるホッパー部、６はホッパー部５にたまった水を本排水管７に接続するための排水継手、８は本排水管７からホッパーへの逆流を防止する逆止弁、９はホッパー部５内に置かれている仕切り板を兼ねた防虫網である。
【００１７】
貯湯式温水器１は、沸し上げを行う際に内部の圧力上昇により発生する膨張水を排水口２へ排水する構造となっており、排水口２に接続された連結管３を介して逃し口４へと膨張水が押し出される。逃し口４から出てくる膨張水は自然落下によりホッパー部５へ排水される。ホッパー部５はトラップ構造になっており、封水水位以上になると排水継手６を介して本排水管７へ排水される。逆止弁８は、本排水管７が詰まった場合に汚水がホッパー部５へ逆流しないように逆流を防止するために設置されている。
【００１８】
図２は、図１の貯湯式温水器用排水ホッパーの拡大図である。図２において、逃し口４とホッパー部５の間には、吐水口空間が設けられている。ホッパー部５内には、図３に示す有底円筒形状の防虫網９が置かれている。防虫網９の底部は網状になっており、害虫等の侵入によりホッパー部５内が閉塞することを防止する。また、防虫網９の円筒壁部は、逃し口４の出口とほぼ同じ高さまで延びており、その一部分には開口部としてのスリット１０がある。ホッパー部５は、図４に示すように、円筒状の壁の一部をさらに延出した壁１２に、位置決め用のリブ１１を設けている。このリブ１１は、防虫網９のスリット１０と嵌合させるためのもので、これにより防虫網９のスリット１０は、壁１２に対向する。
【００１９】
膨張水が逃し口４から排出されると、防虫網９の中に落ちて、ホッパー部５内へ排水され、逆止弁８、排水継手６を介して本配水管７へ排水される。ここで、防虫網９の円筒壁部は、逃し口４の出口とほぼ同じ高さまで延びているので、ホッパー部５が何らかの理由で傾いても、落下した膨張水は必ず円筒の内側に入るため、横にこぼれてしまうことがない。また、勢い良く膨張水が出たとしても、飛散した水は円筒内で収まるため、床下を水で汚してしまうこともない。
【００２０】
もし本配水管７が詰まり、そのうえ逆止弁８が故障した場合などに、有底円筒形状の防虫網９の中に水が満ちて汚水が逃し口４へと逆流したりすると、水道法上も問題であるが、本実施例では、防虫網９の円筒壁部の一部分に開口部（スリット１０）を設けているので、汚水はここから流れ出て防虫網９内が水で満杯になることがないため、その心配はない。なお、防虫網９の開口部は、スリット形状に限らず、例えば穴や網でも問題がなく、その形状や大きさはいかようにも設定できる。また、防虫網９のスリット１０は、ホッパー部５の壁１２に対向するようにリブ１１で位置決めされているので、スリット１０から漏れた水の床への飛散は、壁１２により防止される。
【００２１】
図５は、図３に示した防虫網９の変形例である防虫網１６の斜視図であり、防虫網１６の底部の中央部分には、略円錐形状の凸部１５が形成されている。また、図６は、防虫網１６を組み込んだ貯湯式温水器用排水ホッパーの断面図である。図６において、逃し口４からの滴下水は、防虫網１６の凸部１５に当たって拡散した後、底部の網の目からホッパー部５のトラップ部内の滞留水に着水する。このため着水音が低減されるので、使用者が不快感を感じることがない。
【００２２】
なお、本実施例においては、防虫網９や防虫網１６は、網状の底部と仕切り板としての円筒壁部を一体に形成しているため、部品点数が増えることなく、また、取り付けも簡易であるが、別部品としても問題ない。また、図７に示すように、ホッパー部５と仕切り板１３を一体で形成してもよい。
【００２３】
また、防虫網９や防虫網１６の円筒壁部を透明な材料で形成すれば、内部の水の状況がすぐにわかり、試運転時の排水動作や、定期的な排水状況を容易に確認できる。なお、ここでいう透明とは、厳密な透明でなくても、乳白色や色がついていても内部の状態が外から視認できるものであればよい。
【図面の簡単な説明】
【図１】  本発明の一実施例を示す貯湯式温水器用排水ホッパーの模式的接続図
【図２】  図１に示す貯湯式温水器用排水ホッパーの拡大図
【図３】  図１に示す防虫網９の斜視図
【図４】  図１に示すホッパー部５の斜視図
【図５】  図３の変形例である防虫網１６の斜視図
【図６】  防虫網１６を組み込んだ貯湯式温水器用排水ホッパーの断面図
【図７】  ホッパー部５と仕切り板１３を一体で形成した例を示す図
【図８】  従来の貯湯式温水器用排水ホッパーの模式的接続図
【図９】  図８に示す防虫網１４の斜視図
【符号の説明】
０…洗面器
１…貯湯式温水器
２…排水口
３…連結管
４…逃し口
５…ホッパー部
６…排水継手
７…本排水管
８…逆止弁
９…防虫網
１０…スリット
１１…リブ
１２…壁
１３…仕切り板
１４…防虫網
１５…凸部
１６…防虫網
【図１】
0003838068.tif 000002
【図２】
0003838068.tif 000003
【図３】
0003838068.tif 000004
【図４】
0003838068.tif 000005
【図５】
0003838068.tif 000006
【図６】
0003838068.tif 000007
【図７】
0003838068.tif 000008
【図８】
0003838068.tif 000009
【図９】
0003838068.tif 000010